(57)【要約】【課題】個々の顧客の要求に応じて個別の問題用紙・解答用紙・教材を作成し、解答用紙に記入された解答を採点するこが容易な教育システムを提供する。【解決手段】教育システムは、情報処理装置が表示するメニューから教材情報、問題情報、解答情報、広告情報のうちいずれかが選択されると、サーバは顧客データベースに記憶した使用者の顧客情報、情報処理装置から受信した入力データ及びメニュー選択情報に基づいて教材情報と問題情報と解答情報と広告情報のうちの少なくとも一つを含む情報を選択して情報処理装置から出力させる。【選択図】      図３
2004191667.tif 000002
【特許請求の範囲】
【請求項１】
情報処理装置とサーバとがネットワークを介して接続された教育システムであって、
前記情報処理装置は、前記サーバからの情報を受信する受信手段と、
該受信手段により受信した情報を表示する表示手段と、画像を読み取る画像読取手段と、少なくとも教材に関する教材情報、問題に関する問題情報、問題の採点・解答に関する解答情報、を含むメニューから選択されたメニュー選択情報、入力された入力データ、及び前記画像読取手段が読み取った画像の画像読取データを送信する送信手段と、前記サーバから受信した受信情報を出力する出力手段とを備え、
前記サーバは、顧客に関する情報を記憶した顧客データベースと、前記情報処理装置から受信した入力データ及び前記メニュー選択情報とを取得する取得手段と、前記情報処理装置からアクセスしてきた顧客の顧客情報を前記入力データに基づいて選択する第１の選択手段と、該第１の選択手段によって選択された顧客情報と前記取得手段によって取得されたメニュー選択情報に基づいて前記教材情報と前記問題情報と前記解答情報のうちの少なくとも一つを含む情報を選択する第２の選択手段と、該第２の選択手段により選択された情報を配信情報に生成する生成手段と、該生成手段により生成された配信情報を配信する配信手段とを備えることを特徴とする教育システム。
【請求項２】
情報処理装置がネットワークを介して接続された教育システムのサーバにおいて、
顧客に関する情報を記憶した顧客データベースと、前記情報処理装置から受信した入力データ及び少なくとも教材に関する教材情報、問題に関する問題情報、問題の採点・解答に関する解答情報を含むメニューから選択されたメニュー選択情報を取得する第１の取得手段と、前記情報処理装置からアクセスしてきた顧客の顧客情報を前記入力データに基づいて選択する第１の選択手段と、該第１の選択手段によって選択された顧客情報と前記取得手段によって取得されたメニュー選択情報に基づいて前記教材情報と前記問題情報と前記解答情報のうちの少なくとも一つを含む情報を選択する第２の選択手段と、該第２の選択手段により選択された情報を配信情報として生成する第１の生成手段と、該第１の生成手段によって生成された配信情報を配信する配信手段とを備えることを特徴とするサーバ。
【請求項３】
前記顧客情報は、学習の習熟度、レベル、成績、志望校、学年、名前、住所、及び性別のうち少なくとも一つを含むことを特徴とする請求項２記載のサーバ。
【請求項４】
前記メニュー選択情報に基づき、前記情報処理装置が取得した画像の画像読み取りデータを取得する第２の取得手段を備え、該第２の取得手段により取得された画像読み取りデータと前記解答情報とを照合してそれらが一致しているか否かを判断することを特徴とする請求項２記載のサーバ。
【請求項５】
前記第１の生成手段は、前記入力データとメニュー選択情報とに基づいて、解答を記入するための解答記入シートに関する解答記入シート情報を生成し、前記第１の生成手段により生成された情報を識別するためのＩＤを暗号化した暗号化識別ＩＤ情報及びバーコード化したバーコード化識別ＩＤ情報の少なくともいずれか一つを生成する第２の生成手段とを備え、
前記配信手段は、前記解答記入シート情報に前記暗号化識別ＩＤ情報及び前記バーコード化識別ＩＤ情報の少なくともいずれか一つを付加して配信することを特徴とする請求項２記載のサーバ。
【請求項６】
前記配信手段は、前記問題情報に前記解答記入シート情報を付加して配信することを特徴とする請求項４又は５記載のサーバ。
【請求項７】
前記配信手段は、前記顧客情報に基づいて予め登録されている条件に従ってデータを選択し、配信情報を生成することを特徴とする請求項２記載のサーバ。
【請求項８】
前記配信手段は、前記第１の選択手段により選択された顧客情報に基づいて広告情報を付加し、配信情報を配信することを特徴とする請求項２乃至７のいずれか１項に記載のサーバ。
【請求項９】
前記配信手段は、前記情報処理装置で表示する画面の画面データを付加して、配信することを特徴とする請求項２，７又は８のいずれか１項に記載のサーバ。
【請求項１０】
情報処理装置と顧客に関する情報を記憶した顧客データベースを備えるサーバとがネットワークを介して接続された教育システムにおける前記サーバの配信処理方法であって、
前記情報処理装置から受信した入力データ及び少なくとも教材に関する教材情報、問題に関する問題情報、問題の採点・解答に関する解答情報を含むメニューから選択されたメニュー選択情報を取得する第１の取得ステップと、前記情報処理装置からアクセスしてきた顧客の顧客情報を前記入力データに基づいて選択する第１の選択ステップと、該第１の選択ステップによって選択された顧客情報と前記取得ステップによって取得されたメニュー選択情報に基づいて前記教材情報と前記問題情報と前記解答情報のうちの少なくとも一つを含む情報を選択する第２の選択ステップと、該第２の選択ステップにより選択された情報を配信情報に生成する第１の生成ステップと、該第１の生成ステップによって生成された配信情報を配信する配信ステップとを備えることを特徴とするサーバの配信処理方法。
【請求項１１】
情報処理装置と顧客に関する情報を記憶した顧客データベースを備えるサーバとがネットワークを介して接続された教育システムにおける前記サーバの配信処理方法が実現可能な配信処理プログラムであって、
前記情報処理装置から受信した入力データ及び少なくとも教材に関する教材情報、問題に関する問題情報、問題の採点・解答に関する解答情報を含むメニューから選択されたメニュー選択情報を取得する第１の取得ステップと、前記情報処理装置からアクセスしてきた顧客の顧客情報を前記入力データに基づいて選択する第１の選択ステップと、該第１の選択ステップによって選択された顧客情報と前記取得ステップによって取得されたメニュー選択情報に基づいて前記教材情報と前記問題情報と前記解答情報のうちの少なくとも一つを含む情報を選択する第２の選択ステップと、該第２の選択ステップにより選択された情報を配信情報に生成する第１の生成ステップと、該第１の生成ステップによって生成された配信情報を配信する配信情報生成ステップとをコンピュータに実行させることを特徴とするプログラム。
【請求項１２】
サーバがネットワークを介して接続された教育システムにおける情報処理装置において、
画像を認識するための画像認識手段と、
入力された入力データと所定のメニューから選択されたメニュー選択情報とに基づいて選択された識別情報を、前記サーバから取得する取得手段と、前記サーバから取得した識別情報に基づいて出力する情報を選択する選択手段と、
該選択手段により選択された情報を出力情報として生成する生成手段と、
前記出力情報を出力する出力手段とを備えることを特徴とする情報処理装置。
【請求項１３】
前記識別情報に基づいて、提供を要求された処理が教材を作成する教材作成処理と試験問題を作成する試験問題作成処理と採点を行う採点処理のいずれであるかを判断する判断手段を備えることを特徴とする請求項１２記載の情報処理装置。
【請求項１４】
前記識別情報の暗号化及びバーコード化のうち少なくとも一方を実行する暗号・バーコード化手段及び該暗号・バーコード化手段によって暗号化又はバーコード化された情報を読み出す読出し手段を備えることを特徴とする請求項１２又は１３記載の情報処理装置。
【請求項１５】
前記試験問題の解答情報を有し、前記採点処理は前記画像認識手段が読み出した画像と前記解答情報に基づいて採点することを特徴とする請求項１３又は１４記載の情報処理装置。
【請求項１６】
前記選択手段によって選択される情報は、教材情報と問題情報と採点情報と広告情報の少なくとも一つを含むことを特徴とする請求項１２乃至１５のいずれか１項に記載の情報処理装置。
【請求項１７】
前記識別情報は、受験ＩＤと教材ＩＤの少なくとも一つと、出力情報を選択するためのパラメータを含むことを特徴とする請求項１２乃至１６のいずれか１項に記載の情報処理装置。
【発明の詳細な説明】
【０００１】
【発明の属する技術分野】
本発明は、ネットワークを利用してサーバと顧客が使用するデジタル複写機と間で個々の顧客に適した教材配信・問題配信・問題採点サービスを行う教育システム、教育サーバ、配信処理方法、及びプログラムに関する。
【０００２】
【従来の技術】
通常、学習者が学習の効果や成果を判断するためには学習した内容に関する問題を解くことを行う。このため、問題集を購入して解くことが行われるが、この場合、学習到達度の客観的評価や他者との比較における学習到達レベルの判断は難しい。したがって、学習到達度の客観的評価や他者との比較における学習到達レベルを判断したい場合には、通信教育を受けたり、試験会場に行って試験を受けたりすることになる。
【０００３】
しかし、通常、問題は紙に記載されているために通信教育の場合には、問題を郵送してもらうことになり手間がかかるという問題があった。また、試験会場に行って試験を受ける場合には、試験会場まで行かなければならず不便であるという問題もあった。
【０００４】
そこで、近年ではインターネットの普及により、インターネットに接続したパソコンによってＷｅｂ上で問題を読んで回答することにより、学習者の学習成果を確認できたり、その学習成果に応じた成績を判定できたりする形態が実施されている。
【０００５】
また、デジタル複写機が問題用紙の印刷から解答の採点までを行うことが可能であり、平均点や偏差値等の結果などを算出する技術が開示されている（例えば、特許文献１参照）。
【０００６】
【特許文献１】
特開平０８−１８６６７２号公報
【０００７】
【発明が解決しようとする課題】
しかしながら、Ｗｅｂ上で問題を読み解答するためにはパソコンなどを所有していなければならず、利用者が限定されてしまうという問題があった。また、学習塾や学校で利用する場合には、複数台のパソコンが必要であるのでパソコンの導入や運用にコストがかかるという問題があった。
【０００８】
また、上記のデジタル複写機を使用する場合は、問題作成から採点までを一台のデジタル複写機で処理するために処理が集中して負荷が大きくなる。その上、近年のデジタル複写機は一台でスキャナー，ＦＡＸ，プリンタなど多機能化されているために、一台を何人かで共有することが多い。この場合、問題作成から採点までを一台で処理してしまうと処理が集中してしまうので他の機能を働かせる他の処理が困難になり、共有機としての機能を最大限発揮できなかった。
【０００９】
また、上記のデジタル複写機は当該デジタル複写機によって処理したデータしか管理できない為、狭い範囲での平均点や偏差値などの算出しかできないという問題があった。
【００１０】
さらに、利用者に適した教材・問題を作成し、取り出すということは困難であった。
【００１１】
本発明の目的は、個々の顧客の要求に応じて個別の問題用紙・解答用紙・教材を作成し、解答用紙に記入された解答を採点するこが容易な教育システム、サーバ、サーバの配信処理方法、サーバの配信処理プログラムを提供することにある。
【００１２】
また、本発明の目的は、教材等の広告効率を上げることにある。
【００１３】
【課題を解決するための手段】
上記目的を達成するために、請求項１の教育システムは、情報処理装置とサーバとがネットワークを介して接続された教育システムであって、前記情報処理装置は、前記サーバからの情報を受信する受信手段と、該受信手段により受信した情報を表示する表示手段と、画像を読み取る画像読取手段と、少なくとも教材に関する教材情報、問題に関する問題情報、問題の採点・解答に関する解答情報、を含むメニューから選択されたメニュー選択情報、入力された入力データ、及び前記画像読取手段が読み取った画像の画像読取データを送信する送信手段と、前記サーバから受信した受信情報を出力する出力手段とを備え、前記サーバは、顧客に関する情報を記憶した顧客データベースと、前記情報処理装置から受信した入力データ及び前記メニュー選択情報とを取得する取得手段と、前記情報処理装置からアクセスしてきた顧客の顧客情報を前記入力データに基づいて選択する第１の選択手段と、該第１の選択手段によって選択された顧客情報と前記取得手段によって取得されたメニュー選択情報に基づいて前記教材情報と前記問題情報と前記解答情報のうちの少なくとも一つを含む情報を選択する第２の選択手段と、該第２の選択手段により選択された情報を配信情報に生成する生成手段と、該生成手段により生成された配信情報を配信する配信手段とを備えることを特徴とする。
【００１４】
上記目的を達成するために、請求項２のサーバは、情報処理装置がネットワークを介して接続された教育システムのサーバにおいて、顧客に関する情報を記憶した顧客データベースと、前記情報処理装置から受信した入力データ及び少なくとも教材に関する教材情報、問題に関する問題情報、問題の採点・解答に関する解答情報を含むメニューから選択されたメニュー選択情報を取得する第１の取得手段と、前記情報処理装置からアクセスしてきた顧客の顧客情報を前記入力データに基づいて選択する第１の選択手段と、該第１の選択手段によって選択された顧客情報と前記取得手段によって取得されたメニュー選択情報に基づいて前記教材情報と前記問題情報と前記解答情報のうちの少なくとも一つを含む情報を選択する第２の選択手段と、該第２の選択手段により選択された情報を配信情報として生成する第１の生成手段と、該第１の生成手段によって生成された配信情報を配信する配信手段とを備えることを特徴とする。
【００１５】
請求項３のサーバは、請求項２記載のサーバにおいて、前記顧客情報は、学習の習熟度、レベル、成績、志望校、学年、名前、住所、及び性別のうち少なくとも一つを含むことを特徴とする。
【００１６】
請求項４のサーバは、請求項２記載のサーバにおいて、前記メニュー選択情報に基づき、前記情報処理装置が取得した画像の画像読み取りデータを取得する第２の取得手段を備え、該第２の取得手段により取得された画像読み取りデータと前記解答情報とを照合してそれらが一致しているか否かを判断することを特徴とする。
【００１７】
請求項５のサーバは、請求項２記載のサーバにおいて、前記第１の生成手段は、前記入力データとメニュー選択情報とに基づいて、解答を記入するための解答記入シートに関する解答記入シート情報を生成し、前記第１の生成手段により生成された情報を識別するためのＩＤを暗号化した暗号化識別ＩＤ情報及びバーコード化したバーコード化識別ＩＤ情報の少なくともいずれか一つを生成する第２の生成手段とを備え、前記配信手段は、前記解答記入シート情報に前記暗号化識別ＩＤ情報及び前記バーコード化識別ＩＤ情報の少なくともいずれか一つを付加して配信することを特徴とする。
【００１８】
請求項６のサーバは、請求項４又は５記載のサーバにおいて、前記配信手段は、前記問題情報に前記解答記入シート情報を付加して配信することを特徴とする。
【００１９】
請求項７のサーバは、請求項２記載のサーバにおいて、前記配信手段は、前記顧客情報に基づいて予め登録されている条件に従ってデータを選択し、配信情報を生成することを特徴とする。
【００２０】
請求項８のサーバは、請求項２乃至７のいずれか１項に記載のサーバにおいて、前記配信手段は、前記第１の選択手段により選択された顧客情報に基づいて広告情報を付加し、配信情報を配信することを特徴とする。
【００２１】
請求項９のサーバは、請求項２，７又は８のいずれか１項に記載のサーバにおいて、前記配信手段は、前記情報処理装置で表示する画面の画面データを付加して、配信することを特徴とする。
【００２２】
上記目的を達成するために、請求項１０のサーバの配信処理方法は、情報処理装置と顧客に関する情報を記憶した顧客データベースを備えるサーバとがネットワークを介して接続された教育システムにおける前記サーバの配信処理方法であって、前記情報処理装置から受信した入力データ及び少なくとも教材に関する教材情報、問題に関する問題情報、問題の採点・解答に関する解答情報を含むメニューから選択されたメニュー選択情報を取得する第１の取得ステップと、前記情報処理装置からアクセスしてきた顧客の顧客情報を前記入力データに基づいて選択する第１の選択ステップと、該第１の選択ステップによって選択された顧客情報と前記取得ステップによって取得されたメニュー選択情報に基づいて前記教材情報と前記問題情報と前記解答情報のうちの少なくとも一つを含む情報を選択する第２の選択ステップと、該第２の選択ステップにより選択された情報を配信情報に生成する第１の生成ステップと、該第１の生成ステップによって生成された配信情報を配信する配信ステップとを備えることを特徴とする。
【００２３】
上記目的を達成するために、請求項１１のサーバの配信処理プログラムは、情報処理装置と顧客に関する情報を記憶した顧客データベースを備えるサーバとがネットワークを介して接続された教育システムにおける前記サーバの配信処理方法が実現可能な配信処理プログラムであって、前記情報処理装置から受信した入力データ及び少なくとも教材に関する教材情報、問題に関する問題情報、問題の採点・解答に関する解答情報を含むメニューから選択されたメニュー選択情報を取得する第１の取得ステップと、前記情報処理装置からアクセスしてきた顧客の顧客情報を前記入力データに基づいて選択する第１の選択ステップと、該第１の選択ステップによって選択された顧客情報と前記取得ステップによって取得されたメニュー選択情報に基づいて前記教材情報と前記問題情報と前記解答情報のうちの少なくとも一つを含む情報を選択する第２の選択ステップと、該第２の選択ステップにより選択された情報を配信情報に生成する第１の生成ステップと、該第１の生成ステップによって生成された配信情報を配信する配信情報生成ステップとをコンピュータに実行させることを特徴とする。
【００２４】
上記目的を達成するために、請求項１２の情報処理装置は、サーバがネットワークを介して接続された教育システムにおける情報処理装置において、画像を認識するための画像認識手段と、入力された入力データと所定のメニューから選択されたメニュー選択情報とに基づいて選択された識別情報を、前記サーバから取得する取得手段と、前記サーバから取得した識別情報に基づいて出力する情報を選択する選択手段と、該選択手段により選択された情報を出力情報として生成する生成手段と、前記出力情報を出力する出力手段とを備えることを特徴とする。
【００２５】
請求項１３の情報処理装置は、請求項１２記載の情報処理装置において、前記識別情報に基づいて、提供を要求された処理が教材を作成する教材作成処理と試験問題を作成する試験問題作成処理と採点を行う採点処理のいずれであるかを判断する判断手段を備えることを特徴とする。
【００２６】
請求項１４の情報処理装置は、請求項１２又は１３記載の情報処理装置において、前記識別情報の暗号化及びバーコード化のうち少なくとも一方を実行する暗号・バーコード化手段及び該暗号・バーコード化手段によって暗号化又はバーコード化された情報を読み出す読出し手段を備えることを特徴とする。
【００２７】
請求項１５の情報処理装置は、請求項１３又は１４記載の情報処理装置において、前記試験問題の解答情報を有し、前記採点処理は前記画像認識手段が読み出した画像と前記解答情報に基づいて採点することを特徴とする。
【００２８】
請求項１６の情報処理装置は、請求項１２乃至１５のいずれか１項に記載の情報処理装置において、前記選択手段によって選択される情報は、教材情報と問題情報と採点情報と広告情報の少なくとも一つを含むことを特徴とする。
【００２９】
請求項１７の情報処理装置は、請求項１２乃至１６のいずれか１項に記載の情報処理装置において、前記識別情報は、受験ＩＤと教材ＩＤの少なくとも一つと、出力情報を選択するためのパラメータを含むことを特徴とする。
【００３０】
【発明の実施の形態】
〔第１の実施の形態〕
以下、本発明の第１の実施の形態に係る教育システムを図面を参照しながら詳細に説明する。
【００３１】
図１は、本発明の実施の形態に係る教育システムを示す構成図である。
【００３２】
教育システム１００はサーバコンピュータ１０１（以下、サーバ１０１）と複数台のデジタル複写機１０３（情報処理装置）が通信回線１０４を介して接続されており、さらに、サーバ１０１にはインターネットを介してパソコン１０５が接続されている。サーバ１０１にはデータベースとなる記憶装置１０２が接続されている。
【００３３】
デジタル複写機１０３は少なくとも、ネットワークや電話線等の通信回線を介してデータを送受信するための送受信部、検索を行う際の検索条件や各種の情報等をキーボードやマウスやボタンやタッチパネル等の入力手段を用いて入力するためのハードウェア及び入力用プログラムからなる入力部と、各種情報を表示するためのディスプレイや液晶パネルと、データを読み取るための画像読み取り部と、データを出力するための印刷部から構成される。デジタル複写機１０３の構成は後述する。このデジタル複写機１０３（情報処理装置）は複写機に限らず、インターネット対応のパソコン等にプリンタやスキャナーあるいはそれらの機能を併せ持つ装置を接続したものでもよい。
【００３４】
通信回線１０４は典型的にはインターネットやイントラネット等のＬＡＮ(Local Area Network)やＷＡＮ(Wide Area Network)や電話回線、専用デジタル回線、ＡＴＭ(Asynchronous Transfer Mode)やフレームリレー回線、通信衛星回線、ケーブルテレビ回線、データ放送用無線回線等のいずれか、またはこれらの組み合わせにより実現されるいわゆる通信ネットワークであり、データの送受信が可能なものであればよい。なお、デジタル複写機１０３からサーバ１０１への通信手段とサーバ１０１からデジタル複写機１０３への通信手段は異なってもよい。例えば、サーバ１０１からデジタル複写機１０３へのデータ送信はデータ放送用無線回線を使用し、デジタル複写機１０３からサーバ１０１へのデータ送信は電話回線を用いても良い。
【００３５】
図２は、図１におけるサーバ１０１及びデジタル複写機１０３それぞれのハードウェア構成を示す図であり、（ａ）はサーバ１０１のハードウェア構成を示し、（ｂ）はデジタル複写機１０３のハードウェア構成を示す。
【００３６】
（ａ）に示すように、サーバ１０１のハードウェア構成は、ＣＰＵ１１、ＲＡＭ１２、ＲＯＭ１３、ＬＡＮアダプタ１４、ビデオアダプタ１５、キーボード１６、マウス１７、ハードディスク１８、ＣＤ−ＲＯＭドライブ１９がそれぞれシステムバス１０を介して互いに接続されている。システムバス１０は例えばＰＣＩバス、ＡＧＰバス、メモリバス等である。各バス間の接続用チップ（ノースブリッジ、サウスブリッジ等のチップセット）やキーボードインタフェースやいわゆるＳＣＳＩやＡＴＡＰＩのような入出力用インタフェースの図示は省略されている。
【００３７】
ＣＰＵ１１はオペレーションシステムのプログラムやアプリケーションプログラムに基づいて四則演算や比較演算等の各種の演算や、ハードウェアの制御を行う。ＲＡＭ１２には、ハードディスク１８、ＣＤ−ＲＯＭドライブ１９に装着されたＣＤ−ＲＯＭやＣＤ−Ｒ等の記憶媒体から読み出されたオペレーションシステムのプログラムやアプリケーションプログラム等が記憶され、これらはＣＰＵ１１の制御の下に実行される。
【００３８】
ＲＯＭ１３にはオペレーションシステムと協働してハードディスク１８等への入出力を制御するいわゆるＢＩＯＳ等が記憶される。ＬＡＮアダプタ１４は、ＣＰＵ１１によって制御されるオペレーションシステムの通信プログラムと協働してネットワークを介した外部との通信を行う。ビデオアダプタ１５はディスプレイ装置に出力する画像信号を生成し、ビデオアダプタ１５はディスプレイ３１に接続されている。キーボード１６やマウス１７は情報処理装置への指示を入力するために用いられる。
【００３９】
ハードディスク１８はオペレーションシステムやアプリケーションプログラムを記憶している。アプリケーションプログラムは、例えば後述するデータの抽出プログラム、各種データの生成プログラム、検索プログラム、データの更新プログラム等である。
【００４０】
ＣＤ−ＲＯＭドライブ１９はアプリケーションプログラムが記憶されたＣＤ−ＲＯＭ、ＣＤ−Ｒ、ＣＤ−Ｒ／Ｗ等の記憶媒体を装着してそれらに記憶されたアプリケーションプログラムをハードディスク１８にインストールするのに用いる。なおＣＤ−ＲＯＭドライブの代わりにＣＤ−Ｒドライブ、ＣＤ−Ｒ／Ｗドライブ、ＤＶＤ−ＲＯＭドライブ、ＤＶＤ−ＲＡＭドライブ、ＭＯドライブ等を用いてもよい。
【００４１】
（ｂ）に示すように、デジタル複写機１０３のハードウェア構成は、ＣＰＵ２１、ＲＡＭ２２、ＲＯＭ２３、ＬＡＮアダプタ２４、ビデオアダプタ２５、入力部２６、出力部２７、ハードディスク２８、画像読み取り部２９がそれぞれシステムバス２０を介して互いに接続されている。システムバス２０は例えばＰＣＩバス、ＡＧＰバス、メモリバス等である。各バス間の接続用チップ（ノースブリッジ、サウスブリッジ等のチップセット）や例えばキーボードインタフェースやいわゆるＳＣＳＩやＡＴＡＰＩのような入出力用インタフェースの図示は省略されている。
【００４２】
ＣＰＵ２１、ＲＡＭ２２、ＲＯＭ２３、ＬＡＮアダプタ２４、ビデオアダプタ２５の機能は（ａ）で説明したものと同様であるので説明を省略する。なお、ビデオアダプタ２５はディスプレイ３２に接続されている。入力部２６はタッチパネルであってサーバ１０１への指示を入力するために用いられる。出力部２７は印刷部であって、データを印刷できるものであれば内蔵さたものであっても外部に接続されたものであってもよい。ハードディスク２８にはオペレーションシステム、アプリケーションプログラム等が記憶されている。
【００４３】
画像読み取り部２９は画像をスキャニングする。この画像読み取り部２９はデータを読み取ることができるものであれば内蔵されたものであっても、外部に接続されたものであってもよい。
【００４４】
次に教育システム１００におけるデータ処理を説明する。
【００４５】
図３は教育システム全体の処理の概要を示すフローチャートである。
【００４６】
始めにデジタル複写機１０３のディスプレイ３２に図２０に示す「選択メニュー」画面が表示される。なお、この「選択メニュー」画面及び後述する他の入力画面はタッチパネルであっても良いし、ポインティングデバイスのような入力デバイスであっても良く、必要な入力が可能なものであれば如何なるものであっても良い。
【００４７】
利用者（以下、顧客）はこの画面上で「試験問題購入申し込み」、「教材購入申し込み」、「採点」、「新規申し込み・登録内容の変更」の何れかを選択する（ステップＳ１００）。この選択が判別される（ステップＳ１０１）。「試験問題購入申し込み」が選択された場合は、試験問題購入申し込み処理（ステップＳ１０２）が実行される。「教材購入申し込み」が選択された場合は、教材購入申し込み処理（ステップＳ１０４）が実行される。「採点処理」が選択された場合は。採点処理（ステップＳ１０３）が実行される。「新規申し込み・登録内容の変更」が選択された場合は、新規申し込みоｒ登録内容の変更処理（ステップＳ１０５）が実行される。これらの処理が終了した後、他の処理を行うときはステップＳ１００に戻り（ステップＳ１０６）、「選択メニュー」画面が表示される。他の処理を行わないときは（ステップＳ１０６）、全ての処理を終了する。
【００４８】
ステップＳ１００で「試験問題購入申し込み」が選択された場合には（ステップＳ１００→Ｓ１０１→Ｓ１０２）、図４乃至図６に示す試験問題購入申し込み処理が行われる。
【００４９】
図４は試験問題購入申し込み処理の一部を示すフローチャートである。図５は図４のフローチャートに続く本処理のフローチャートである。図６は、図４及び図５のフローチャートに続いて本処理の終了までを示すフローチャートである。
【００５０】
上述したステップＳ１００で「試験問題購入申し込み」が選択されるとディスプレイ３２には図２１に示すような試験選択画面が表示される。この試験選択画面には顧客の学習レベルに合わせた試験問題の提供を要求するための「学習レベルに合わせた試験」ボタンと、顧客が自ら試験を選択するための「自分で試験を選ぶ」ボタンとが表示される。
【００５１】
試験の選択がされると（ステップＳ２０１）、デジタル複写機１０３は試験の種類を判別する（ステップＳ２０２）。学習レベルに合わせた試験（以下、Ａ試験）が選択された場合は、図２２に示した試験ＩＮＤＥＸ画面がディスプレイ３２に表示される（ステップＳ２０３）。この試験ＩＮＤＥＸ画面には希望する科目を選択するためのボタンが表示されている。この画面では試験科目として「国語」、「算数」、「理科」、「社会」の各選択ボタンが例示されている。この画面から受験を希望する試験科目が選択されると、試験種類をＡとして記憶し（ステップＳ２０４）、顧客ＩＤの取得（ステップＳ２０５）の後に通信回線１０４を介してサーバ１０１に顧客ＩＤ、試験種類、科目ＩＤを発行するとともに試験データの発行要求を行う（ステップＳ２０６）。
【００５２】
試験の選択が「自分で試験を選ぶ」である場合には、この試験（Ｂ試験）の科目を選ぶための試験ＩＮＤＥＸ画面がディスプレイ３２に表示される（ステップＳ２０７）。この試験ＩＮＤＥＸ画面は、上記したＡ試験を選択した場合に表示される画面と同一である。試験ＩＮＤＥＸ画面で科目を選択すると、選択された科目の中で試験の内容を選択するための詳細ＩＮＤＥＸ画面（図２３参照）がディスプレイ３２に表示される。図２３は試験科目に国語が選択された場合の詳細ＩＮＤＥＸ画面であり、試験の内容としての「漢字、文法、小説、論説文」及びそれぞれについて「易しい、やや易しい、ふつう、やや難しい、難しい」の５段階の難易度が表示されている。この画面では漢字の試験でやや難しい試験が選択されている。この画面での選択がされた後に問題ＩＤを取得し（ステップＳ２０８）、試験種類をＢとして記憶し（ステップＳ２０９）、顧客ＩＤの取得（ステップＳ２１０）の後に通信回線１０４を介してサーバ１０１に顧客ＩＤ、試験種類、問題ＩＤを発行するとともに試験データの発行要求を行う（ステップＳ２１１）。
【００５３】
デジタル複写機１０３から試験データの発行要求を受けたサーバ１０１は、顧客ＩＤ、試験種類、問題ＩＤを取得し（ステップＳ２１２）、顧客ＩＤの登録を図２４の顧客ＩＤテーブルから検索し（ステップＳ２１３）、顧客ＩＤの登録の有無を判別する（ステップＳ２１４）。
【００５４】
顧客ＩＤの登録が無い場合には（ステップＳ２１４でＮＯ）、新規登録ｏｒ登録内容変更（ステップＳ１０５）へ処理が移動する。顧客ＩＤの登録が有る場合には（ステップＳ２１４でＹＥＳ）、図２５に示した個人データテーブルからその顧客ＩＤが要求している試験が既に受験した試験であるかを検索し（ステップＳ２１５）、受験済みか否かを判別する（ステップＳ２１６）。
【００５５】
顧客ＩＤが要求している試験が既に受験した試験である場合には（ステップＳ２１６でＹＥＳ）、デジタル複写機１０３のディスプレイ３２に再受験をするか否かを確認するための再受験確認画面（図示せず）が表示される（ステップＳ２１７）。顧客がこの画面で再受験するか否かを選択すると、再受験するか否かを判別し（ステップＳ２１８）、再受験しない場合には終了してステップＳ１００のメニュー選択画面に戻る。
【００５６】
ステップＳ２１６の判別の結果、未受験である場合及び再受験をする場合（ステップＳ２１８でＹＥＳ）いずれかの場合には、試験の種類を判別する（ステップＳ２１９）。試験の種類がＡ試験である場合には、図２５の個人データテーブルを検索し（ステップＳ２２０）、試験レベル情報や成績を読み出し（ステップＳ２２１）、この読み出した情報を解析し（ステップＳ２２２）、ユーザのレベルに応じた試験データを図２６に示した問題ファイル内にある図２７に示した問題ＩＤテーブルから検索し（ステップＳ２２３）、ステップＳ２２６に進む。
【００５７】
ステップＳ２１９で判別した試験の種類がＢ試験である場合には、問題ＩＤを読み出して（ステップＳ２２４）、試験データを上記の問題ファイルから検索し（ステップＳ２２５）、ステップＳ２２６に進む。
【００５８】
ステップＳ２２６では図２８に示したような試験データ（問題）を読み出す。サーバ１０１はこの試験データと既に取得してある顧客ＩＤを元にして受験ＩＤを発行し（ステップＳ２２７）、図２９に示すように受験ＩＤを記憶装置１０２の顧客データベースに登録する（ステップＳ２２８）。
【００５９】
次に、受験ＩＤの暗号化またはバーコード化を行い（ステップＳ２２９）、ステップＳ２２６にて取得した試験データとステップＳ２２７にて発行された受験ＩＤとのレイアウト処理を行う（ステップＳ２３０）。続いて、このレイアウト処理したデータを圧縮して配布データを作成し（ステップＳ２３１）、受験ＩＤとともにデジタル複写機１０３に発行する（ステップＳ２３２）。
【００６０】
デジタル複写機１０３はサーバ１０１から発行された配布データを取得し（ステップＳ２３３）、配布データを製本し出力する（ステップＳ２３４）。続いて、サーバ１０１に受験ＩＤを発行し、受験済み登録を依頼する（ステップＳ２３５）。
【００６１】
サーバ１０１はデジタル複写機１０３から発行された受験ＩＤを元に、顧客データベースの受験ＩＤテーブル（図２９参照）に該当する受験ＩＤの受験済み登録を行う（ステップＳ２３６）。
【００６２】
デジタル複写機１０３では「選択メニュー」画面が表示されてメニュー選択（ステップＳ１００）に戻る。
【００６３】
「選択メニュー」画面で採点処理が選択された場合には（ステップＳ１００→Ｓ１０１→Ｓ１０３）、図７乃至図１０に示す採点処理が行われる。
【００６４】
図７は採点処理の一部を示すフローチャートである。図８は、図７のフローチャートに続く本処理のフローチャートである。  図９は、図８のフローチャートに続く本処理のフローチャートである。図１０は、図８及び図９のフローチャートに続いて本処理の終了までを示すフローチャートである。
【００６５】
採点処理は、先ず、デジタル複写機１０３が解答用紙のスキャニング処理を行い（ステップＳ３０１）、上記のようにして取得した暗号又はバーコードを解析し（ステップＳ３０２）、受験ＩＤを取得し（ステップＳ３０３）、サーバ１０１へ受験ＩＤを発行する（ステップＳ３０４）。
【００６６】
サーバ１０１はデジタル複写機１０３から受験ＩＤを取得すると（ステップＳ３０５）、受験ＩＤテーブル（図２９参照）から採点済みフラグの検索を行い（ステップＳ３０６）、採点済みか否かを判別する（ステップＳ３０７）。採点済みである場合には（ステップＳ３０７でＹＥＳ）、採点済フラグ＝ＹＥＳを記憶し（ステップＳ３０８）、採点済みではない場合には（ステップＳ３０７でＮＯ）、採点済フラグ＝ＮＯを記憶し（ステップＳ３０９）、受験ＩＤ及び採点済みフラグをデジタル複写機１０３に発行する（ステップＳ３１０）。
【００６７】
デジタル複写機１０３は受験ＩＤ及び採点済みフラグを取得し（ステップＳ３１１）、採点済みフラグがＹＥＳかＮＯかを判別する（ステップＳ３１２）。採点済みフラグがＹＥＳの場合には、試験結果の再発行を行うか確認する（ステップＳ３１３）。再発行を行わない場合には（ステップＳ３１４でＮＯ）、本処理を終了し、ステップＳ１００のメニュー選択に処理を移す。
【００６８】
再発行の要求が有った場合には（ステップＳ３１４でＹＥＳ）、サーバ１０１へ受験ＩＤを送るとともに試験結果再発行要求を行う（ステップＳ３１５）。
【００６９】
サーバ１０１は受験ＩＤを取得すると（ステップＳ３１６）、受験ＩＤを基に受験ＩＤテーブル（図２９参照）から配布データを検索し（ステップＳ３１７）、配布データを読み出す（ステップＳ３１８）。この配布データと、暗号化又はバーコード化した受験ＩＤとを共にデジタル複写機１０３に発行する（ステップＳ３１９）。以降の処理は、後述するステップＳ３３６へと移る。
【００７０】
ステップＳ３１１にて取得した採点済みフラグがＮｏの場合には（ステップＳ３１２でＮＯ）、解答用紙のＯＣＲ処理を行って（ステップＳ３２０）、テキスト形式や、ＣＳＶ形式で出力されたＯＣＲ結果を読み出し（ステップＳ３２１）、このＯＣＲ結果を受験ＩＤと共にサーバ１０１へ発行する（ステップＳ３２２）。
【００７１】
サーバ１０１はデジタル複写機１０３から取得した受験ＩＤに基づいて受験ＩＤテーブル（図２９）から問題ＩＤを検索して（ステップＳ３２３）、問題ＩＤを取得する（ステップＳ３２４）。次に、図３０に示す試験テーブルから該当する試験の解答を検索して（ステップＳ３２５）、解答を読み出す（ステップＳ３２６）。
【００７２】
この解答に上記のＯＣＲ結果を照合して採点を行い（ステップＳ３２７）、試験結果を得る。当該試験結果を読み出し（ステップＳ３２８）、試験結果の解析処理をする（ステップＳ３２９）。例えば、この解析処理では受験者の科目、単元、レベル毎の不正解の傾向、正答率などの特徴を抽出する。この解析処理の結果に基づいて試験の解説を読み出し（ステップＳ３３０）、その顧客の傾向や特徴に適した教材や試験の広告を検索して（ステップＳ３３１）、教材や試験の広告を読み出す（ステップＳ３３２）。
【００７３】
続いて、ステップＳ３２８で取得した試験結果、ステップＳ３３０で取得した試験解説、ステップＳ３３２で取得した教材や試験の広告を配布する為のレイアウト処理を行い（ステップＳ３３３）、配布データを作成する（ステップＳ３３４）。なお、配布データを作成する際に圧縮処理と暗号処理とを行ってもよい。これにより、配布データはネットワークの負荷を減らし、また安全に配布できる。次に、この配布データを受験ＩＤとともにデジタル複写機１０３に発行する（ステップＳ３３５）。
【００７４】
デジタル複写機１０３はサーバ１０１から受験ＩＤと配布データを受け取ると（ステップＳ３３６）、レイアウト処理済の配布データを製本処理し（ステップＳ３３７）、採点結果表（図示せず）を出力し（ステップＳ３３８）、その後に画面は「選択メニュー」画面に戻る。一方、サーバ１０１には配布データと、採点済通知を発行する（ステップＳ３３９）。
【００７５】
サーバ１０１は配布データと採点済通知を取得すると（ステップＳ３４０）、これらを顧客データベースの個人データ（図２５参照）乃至受験ＩＤテーブル（図２９参照）に登録し本処理（採点処理）を終了する。
【００７６】
「選択メニュー」画面で教材購入申し込み処理が選択された場合には（ステップＳ１００→Ｓ１０１→Ｓ１０４）、図１１乃至図１３に示す処理が行われる。
【００７７】
図１１は教材購入申し込み処理の一部を示すフローチャートである。図１２は、図１１のフローチャートに続く本処理のフローチャートである。図１３は、図１２のフローチャートに続いて本処理の終了までを示すフローチャートである。
【００７８】
教材購入申し込み処理は、デジタル複写機１０３に表示された教材ＩＮＤＥＸ画面（図３１参照）から購入する教材を顧客が選択することによって始まる。図３１に示すように教材ＩＮＤＥＸ画面には、「学習レベルに合わせた教材」ボタンと「自分で教材を選ぶ」ボタンが表示されている。この教材ＩＮＤＥＸ画面から教材が選択されると（ステップＳ４０１）、デジタル複写機１０３は教材の種類を判別する（ステップＳ４０２）。選択された教材が学習レベルに合わせた教材（以下、Ａ教材）である場合には、教材種類＝Ａと記憶し（ステップＳ４０３）、顧客ＩＤを取得して（ステップＳ４０４）、サーバ１０１に顧客ＩＤと教材種類を発行するとともに教材データ発行要求を行う（ステップＳ４０５）。
【００７９】
一方、ステップＳ４０１で「自分で教材を選ぶ」が選択された場合には、科目を選択するための画面として図３２に示す教材ＩＮＤＥＸ画面を表示し、このが面で希望科目が選択されると、顧客が希望する教材を選択するための画面として図３３に示す教材ＩＮＤＥＸ画面を表示する（ステップＳ４０６）。図３３にしめした教材ＩＮＤＥＸ画面は科目として国語が選択された場合に表示される画面を例示するものであり、「漢字」、「文法」、「小説」、「論説文」の教材がそれぞれ３つの異なるレベル「上級」、「中級」、「基礎」の教材に分けられている。この画面から教材が選択されると、希望教材ＩＤを取得する（ステップＳ４０７）。
【００８０】
続いて、教材種類＝Ｂを記憶し（ステップＳ４０８）、顧客から顧客ＩＤを取得して（ステップＳ４０９）、サーバ１０１に顧客ＩＤ、教材ＩＤ、及び教材種類を発行するとともに教材データ発行要求を行う（ステップＳ４１０）。
【００８１】
サーバ１０１は顧客ＩＤ、教材ＩＤ、教材種類を取得し（ステップＳ４１１）、その取得した顧客ＩＤが登録されているか確認を行う（ステップＳ４１２）。顧客ＩＤが登録されているか否かを判別し（ステップＳ４１３）、登録がされていない場合には「新規登録оｒ登録内容変更」処理（ステップＳ１０５）に進む。
【００８２】
顧客ＩＤの登録が確認できた場合には（ステップＳ４１３でＹＥＳ）、図２５に示した顧客データベースの個人データテーブルの「科目、単元毎の試験レベル」から個人データを検索し（ステップＳ４１４）、個人データを読み出し（ステップＳ４１５）、個人データの科目、単元毎の試験レベルから個人データの解析をして（ステップＳ４１６）、顧客の特徴を抽出する。個人データ（顧客情報）は学習の習熟度、レベル、成績、志望校、学年、名前、住所、性別のうち少なくとも一つを含むものとする。また、学習の習熟度、レベル、成績、志望校、学年、名前、住所、性別のうちの少なくとも一つは図２５の個人データに入っているものとする。
【００８３】
次に、教材の種類がＡかＢかを判別し（ステップＳ４１７）、Ａである場合は、ステップＳ４１６の解析結果を基にして教材データ（図示せず）を検索する（ステップＳ４１８）。なお、データ検索は試験データ検索と同様に図２５の個人データを検索し、個人レベルに応じた教材データを図２６のような教材ファイル（図示せず）内にある図２７のような教材ＩＤテーブル（図示せず）から検索するようにしてもよい。一方、教材の種類がＢである場合には、教材データを検索し（ステップＳ４１９）、検索結果を読み出す（ステップＳ４２０）。
【００８４】
次に、ステップＳ４１８の結果またはステップＳ４１９の結果を基にして教材データを読み出し（ステップＳ４２１）、図３４に示す教材ＩＤテーブルを参照して、該当教材が購入済みか否かを判別する（ステップＳ４２２）。購入済みの場合にはデジタル複写機１０３で再購入の確認を求める（ステップＳ４２３）。再購入するか否かを判別し（ステップＳ４２４）、再購入しない場合には本処理を終了する。
【００８５】
再購入する場合（ステップＳ４２４でＹＥＳ）、ステップＳ４２２で購入済みでは無い場合には（ＮＯの場合）、ステップＳ４１６の解析結果を基に広告データを検索し（ステップＳ４２５）、続いて、教材データ、広告データのレイアウト処理を行い（ステップＳ４２６）、配布データを作成して（ステップＳ４２７）、顧客ＩＤと配布データとをデジタル複写機１０３へ発行する（ステップＳ４２８）。
【００８６】
デジタル複写機１０３はサーバ１０１から発行されたデータを取得すると（ステップＳ４２９）、配布データの出力製本処理を行い（ステップＳ４３０）、サーバ１０１に顧客ＩＤと教材ＩＤと発行するとともに購入済登録要求を行う（ステップＳ４３１）。デジタル複写機１０３の画面はメニュー選択に戻る。
【００８７】
サーバ１０１はデジタル複写機１０３からの顧客ＩＤと教材ＩＤの発行及び購入済登録要求を受けて顧客データベースの教材ＩＤテーブル（図３４参照）へ登録を行い（ステップＳ４３２）、教材発行処理を終了する。
【００８８】
次に、試験問題を閲覧する場合について説明する。
【００８９】
図１４は試験問題閲覧処理を示すフローチャートである。
【００９０】
パソコン１０５（図１参照）でブラウザソフトなどを利用し指定されたＷｅｂサイトへアクセスし、サーバ１０１へ受験ＩＤとパスワードとを、インターネット回線を利用し発行する（ステップＳ５０１）。
【００９１】
受験ＩＤとパスワードを取得した（ステップＳ５０２）サーバ１０１は、取得した受験ＩＤを受験ＩＤテーブル（図２９参照）と照合して顧客ＩＤと問題ＩＤとを取得し、取得した顧客ＩＤとパスワードとを顧客データベースの個人データ（図２５参照）から検索して、パスワードの認証の可否を判別する（ステップＳ５０３）。認証しない場合にはステップＳ５０１へ処理を戻すし、サーバ１０１の処理を終了する。ステップＳ５０３の判別の結果、認証する場合には（ステップＳ５０３でＹＥＳ）、受験ＩＤテーブル（図２９）から採点済みフラグを検索して取得してから（ステップＳ５０４）、採点済みフラグがＹＥＳかＮＯかを判別する（ステップＳ５０５）。ＮＯの場合には処理を終了し、パソコン１０４に未採点通知を発行する（ステップＳ５０６）。パソコン１０４では未採点通知を表示して（ステップＳ５０７）、終了する。
【００９２】
ステップＳ５０５の判別の結果、採点済みフラグがＹＥＳの場合には、受験ＩＤを参照し配布データを読み出し（ステップＳ５０８）、ブラウザで閲覧することのために配布データのレイアウト処理を行い（ステップＳ５０９）、暗号化した状態でレイアウト処理結果をパソコン１０４に発行する（ステップＳ５１０）。なお、配布データは広告情報を含むものであってもよい。
【００９３】
レイアウト処理結果を取得したパソコン１０４はレイアウト処理結果を表示して（ステップＳ５１１）、終了する。
【００９４】
次に、図３のステップＳ１００において「選択メニュー」画面から新規登録оｒ登録内容変更処理が選択された場合には（ステップＳ１００→Ｓ１０１→Ｓ１０５）、図１５及び図１６に示す新規登録оｒ登録内容変更処理が行われる。
【００９５】
図１５は新規登録оｒ登録内容変更処理の一部を示すフローチャートである。図１６は、図１５のフローチャートに続いて本処理の終了までを示すフローチャートである。
【００９６】
新規登録оｒ登録内容変更処理では、先ず、デジタル複写機１０３が図３５に示す登録メニュー画面を表示する。顧客がこの登録メニュー画面に表示された「新規登録」と「登録内容変更」のうち何れかを選択すると、選択された登録の種別を判別する（ステップＳ６０１）、すなわち、選択された登録種別が新規登録か登録内容変更かを判別する。
【００９７】
選択された登録種別が登録内容変更であり場合には顧客から顧客ＩＤとパスワードを取得し（ステップＳ６０２）、サーバ１０１へ顧客ＩＤ、パスワードを送信するとともに顧客データの発行を要求する（ステップＳ６０３）。
【００９８】
サーバ１０１は顧客ＩＤ、パスワードを取得すると（ステップＳ６０４）、図２５の個人データテーブルを参照してこれらの認証の可否を判別する（ステップＳ６０５）。顧客ＩＤ及びパスワードを認証しない場合には認証失敗通知をデジタル複写機１０３へ発行し（ステップＳ６０６）、デジタル複写機１０３では認証失敗通知表示をして（ステップＳ６０７）、登録メニュー画面に戻る。
【００９９】
顧客ＩＤ、パスワードを認証する場合には（ステップＳ６０５でＯＫ）、顧客データを検索し（ステップＳ６０８）、デジタル複写機１０３へ顧客データを発行する（ステップＳ６０９）。
【０１００】
デジタル複写機１０３では顧客データを取得して表示する（ステップＳ６１０）。顧客から変更項目と変更内容を取得し（ステップＳ６１１）、サーバ１０１へ変更項目、変更内容、顧客ＩＤを発行する。
【０１０１】
サーバ１０１では顧客ＩＤ、変更項目、変更内容を取得し（ステップＳ６１２）、顧客ＩＤから図２５の個人データテーブルのうち変更項目に変更内容を上書きし登録する（ステップＳ６１３）。続いて、変更完了通知をデジタル複写機１０３へ発行する（ステップＳ６１４）。
【０１０２】
デジタル複写機１０３では、変更完了通知を取得し（ステップＳ６１５）、変更完了通知を出力する（ステップＳ６１６）。
【０１０３】
図３５の登録メニュー画面で選択した登録種別が新規登録である場合には（ステップＳ６０１で新規登録）、デジタル複写機１０３では、先ず、顧客データを取得し（ステップＳ６１７）、サーバ１０１へ顧客データを発行するとともに登録済み確認と顧客ＩＤ発行とを要求する（ステップＳ６１８）。
【０１０４】
サーバ１０１では、顧客データを取得し（ステップＳ６１９）、取得した顧客データが顧客ＩＤテーブル（図２４参照）に登録されているか検索をおこなう（ステップＳ６２０）。顧客データの有無を判別し（ステップＳ６２１）、登録が有る場合には登録済通知と顧客ＩＤとをデジタル複写機１０３へ発行し（ステップＳ６２２）、登録が無い場合には、顧客ＩＤテーブルに登録されている顧客ＩＤと重複しない顧客ＩＤ及び未登録通知を発行する（ステップＳ６２３）。
【０１０５】
ステップＳ６２２及びステップＳ６２３の何れかに続いて、デジタル複写機１０３はサーバ１０１から顧客ＩＤ及び登録済み確認結果を取得する（ステップＳ６２４）。次に、顧客データの登録済／未登録を判別し（ステップＳ６２５）、未登録の場合には顧客ＩＤを出力してから（ステップＳ６２６）終了し、登録済の場合には登録済み通知及び顧客ＩＤを出力してから（ステップＳ６２７）終了する。
【０１０６】
本実施の形態にかかる教育システムによれば、コンビニエンスストア・塾・学校などに常時置いてあるデジタル複写機を介し教材や問題の配布、解答用紙の回収を行うので、Ｗｅｂによる学習より導入や運用にかかるコストが低く、問題を提供する側にとっては配布物の郵送する手間が省け、教材や問題の配布の効率化やコスト削減などが可能となる。
【０１０７】
また、問題を受けとる側にとっては試験形式の問題や解答用紙を紙に印刷することによって紙を介して解くことができ、解答の採点を誰でも好きな時に受けることができる。
【０１０８】
さらに、サーバがデータを一元管理しているため、多くの顧客・採点結果データを得ることができ、顧客管理および厳密な平均点や偏差値などの結果を算出することが容易にできる。また、デジタル複写機にかかる負荷も軽減され、共有機としての機能を最大限発揮することができる。
【０１０９】
さらにまた、顧客データに基づき教材・問題を作成できるため、顧客は自分のレベルにあった教材・問題を得ることができる。教材・問題にはレベルに応じた試験広告・教材広告が付加されるため、顧客にとって有益な情報を与えることができる。
【０１１０】
解答用紙には受験ＩＤなどのような識別情報が暗号又はバーコード化され、付加されるため不正な利用がしにくくなる。
【０１１１】
なお、教育システムを運営する者は、広告の表示に基づいて広告依頼主に課金を請求するようにしてもよい。
【０１１２】
〔第２の実施の形態〕
上記第１の実施の形態では、入力された顧客情報に基づいて得た教材情報、問題情報、及び解答情報のうち少なくとも一つを含む情報によって顧客に適した情報をサーバ１０１で選択し、レイアウト処理を行いデジタル複写機１０３に配信し、出力する処理を行う場合について説明したが、サーバ１０１で顧客管理を行い、入力された顧客情報に基づいて教材情報、問題情報、及び解答情報の少なくとも一つを含む情報によって顧客にあった情報を選択するためのパラメータを選択し、該パラメータに基づいてデジタル複写機で出力するための情報を選択し、レイアウト処理し、出力を行することも可能である。
【０１１３】
以下、この第２の実施の形態について図１７乃至図１９を参照しながら説明する。
【０１１４】
図１７は、本発明の第２の実施の形態に係るサーバ及びデジタル複写機におけるデータ処理の一部を示すフローチャートである。図１８は、図１７のフローチャートに続く本処理のフローチャートである。図１９は、図１８のフローチャートに続いて本処理の終了までを示すフローチャートである。
【０１１５】
なお、本実施の形態に係る教育システムの構成は第１の実施の形態において説明した図１の構成と同一であるので説明を省略する。また、通信システムを構成するサーバの構成図２の（ａ）に示す構成と同一であり、デジタル複写機の構成は図２の（ｂ）に示す構成と同一であるので、双方ともに説明を省略する。
【０１１６】
先ず、デジタル複写機１０３のディスプレイ３２には「選択メニュー」画面（図２０参照）が表示されており、顧客がこの画面から入力したメニュー情報を取得する（ステップＳ７０１）。続いて、顧客が入力したＩＤを取得する（ステップＳ７０２）。なお取得するＩＤはここでは顧客ＩＤだが、その後のメニュー選択によっては受験ＩＤまたは教材ＩＤを取得する。ＩＤがない場合はＺＺＺＺＺＺのようなＩＤを取得するようにしても良い。次に、ステップＳ７０１とステップＳ７０２とで取得したメニュー情報とＩＤとをサーバ１０１に送信する（ステップＳ７０３）。
【０１１７】
サーバ１０１はメニュー情報とＩＤとを受信すると（ステップＳ７０４）、それらの情報を基に、顧客が登録されているか否かを判別し（ステップＳ７０５）。登録されている場合にはステップＳ７１０の処理に進み、登録されていない場合には（ステップＳ７０５でＮＯ）、ステップＳ７０６の処理に進む。顧客が登録されているか否かの判別は顧客ＩＤテーブル（図２４参照）の検索結果に基づいて行われる。
【０１１８】
ステップＳ７０６では、デジタル複写機１０３が顧客に対して個人登録情報の入力を促す画面を表示して顧客から個人登録情報を取得する。この取得した個人情報登録はサーバ１０１に送信する（ステップＳ７０７）。
【０１１９】
サーバ１０１はデジタル複写機１０３から送信された個人登録情報を受信すると（ステップＳ７０８）、受信した個人登録情報を顧客データベースに登録する（ステップＳ７０９）。
【０１２０】
次のステップ７１０では、ステップＳ７０４で受信したメニュー情報とＩＤ、またはＳ７０９で登録した個人登録情報を基に、配信するためのパラメータを選択する。このパラメータは図２５，２６，２７，２９,３４を参照して選択される。また、パラメータはデジタル複写機１０３において試験問題情報または教材情報または解答情報を選択するためのものである。なお、メニュー選択情報が試験問題である場合、図示しないが解答記入シートを作成するために必要なパラメータ情報も選択される。さらにメニュー選択情報が採点である場合には、受験ＩＤに基づいて試験ＩＤを検索し、採点に必要なパラメータを選択する。
【０１２１】
パラメータが選択されると、メニュー選択情報が試験問題購入か否かを判別し（ステップＳ７１１）、試験問題購入の場合には、受験ＩＤと問題ＩＤとを作成する（ステップＳ７１２）。なお受験ＩＤと問題ＩＤとは顧客データベースに登録される。受験ＩＤ又は問題ＩＤと、選択したパラメータとをデジタル複写機１０３に送信する（ステップＳ７１３）。
【０１２２】
ステップＳ７１１の判別の結果、メニュー選択情報が試験問題購入でない場合は、メニュー選択情報が教材購入か否かを判別し（ステップＳ７１４）、教材購入の場合には教材ＩＤを作成し（ステップＳ７１５）、教材ＩＤと、選択したパラメータとをデジタル複写機１０３に送信する（ステップＳ７１３）。
【０１２３】
ステップＳ７１４の判別の結果、教材購入ではない場合には、ステップＳ７１２で選択したパラメータをデジタル複写機１０３に送信する（ステップＳ７１６）。
【０１２４】
デジタル複写機１０３では受信情報のパラメータを基にデータを選択する、すなわち、ＩＤとパラメータまたはパラメータのみを受信する（ステップＳ７１７）。受信したパラメータを基にデータを選択する（ステップＳ７１８）。
【０１２５】
続いて、ＩＤが教材か、試験問題か、採点かの種類の判別をし（ステップＳ７１９）、教材の場合にはＩＤ情報に基づいて広告を選択し付加しレイアウト処理を行い（ステップＳ７２０）、出力する（ステップＳ７２１）。なお、広告を選択する場合に顧客情報を取得し、その情報に基づいて広告選択を行ってもよい。また、出力はディスプレイの表示されてもよく、そのデータを電子データとして記録媒体に保存しても良い。
【０１２６】
ステップＳ７１９の判別の結果、ＩＤが試験問題である場合には、受験ＩＤを暗号又はバーコード化し（ステップＳ７２２）、この暗号化又はバーコード化した情報を付加してレイアウト処理を行う（ステップＳ７２０）。
【０１２７】
ステップＳ７１９の判別の結果、ＩＤが採点である場合には、スキャニングした解答用紙をＯＣＲ処理し（ステップＳ７２３）、このＯＣＲ処理で解析した暗号又はバーコードを読み出し（ステップＳ７２４）、読み出した受験ＩＤがステップＳ７０２で取得した受験ＩＤと一致しているか否かを判別する（ステップＳ７２５）。
【０１２８】
受験ＩＤが一致していない場合には、ステップＳ７２３へ処理を戻す。この場合、ステップＳ７２３〜７２５が繰り返されるが、スキャニング処理の回数等によってステップＳ７２３の処理（スキャニングも含む）の前で、顧客にもう一度受験ＩＤの入力をさせるように指示するか、初めから採点を行うようにする。
【０１２９】
ステップＳ７２５の判別の結果、受験ＩＤが一致している場合には、ＯＣＲ処理の結果とステップＳ７１８で選択したデータとを比較して採点をする（ステップＳ７２６）。採点処理の結果はをレイアウト処理を行って（ステップＳ７２０）、出力する（ステップＳ７２１）。
【０１３０】
なお、教材情報、問題情報、解答情報、広告情報に新規データ及び変更データ等のデータの編集必要になった際の処理は図示されていないが、定期的に更新を行うようにしたり、データの編集が必要になった際に適宜更新を行うようにしても良い。
【０１３１】
本実施の形態にかかるサーバには、顧客管理と出力情報を選択するためのパラメータの検索機能を持たせ、出力するためのデータはデジタル複写機に保持させせているのでサーバにかかる負荷も減り、サーバからデジタル複写機に送信するデータ量が減り通信の負荷も改善される。
【０１３２】
本実施の形態に係るデジタル複写機はサーバから受信したパラメータに基づいてデータを選択するため、デジタル複写機での処理が大幅に軽減されるため、デジタル複写機にかかる負荷が軽減される。
【０１３３】
上記各実施の形態において、ステップＳ２０５,Ｓ２１０,Ｓ４０４,Ｓ４０９,Ｓ６０２,Ｓ７０２でのＩＤの取得はＩＤを識別できるものであればよく、例えばＩＤの手入力,バーコード読取り、電子透かし読取り、磁気による読取り、ＲＦ−ＩＤ、双方向通信による認証等がある。
【０１３４】
なお、上記第１の実施の形態および第２の実施の形態ではコンビニエンスストアや塾、学校などに設置されているデジタル複写機を利用するが、企業が社員教育を社員のレベルに応じて行う際に実施することもできる。
【０１３５】
特に社内においてはデジタル複写機の設置率が高く、例えば社内の各フロアに複数台のデジタル複写機が設置されている場合も少なくない。このため、社内で本発明を実施することは、教育を受ける社員が空いた時間を利用して採点・問題用紙・解答用紙・教材を取得することができるので更に効率的な社員教育を受けることができる。
【０１３６】
【発明の効果】
以上詳細に説明したように、請求項１記載の教育システム、請求項２記載のサーバ、請求項１０記載のサーバの配信処理方法、及び請求項１１記載のサーバの配信処理プログラムによれば、情報処理装置の使用者がメニューから教材情報、問題情報、解答情報、広告情報を選択すると、サーバは顧客データベースに記憶した使用者の顧客情報、情報処理装置から受信した入力データ及びメニュー選択情報に基づいて教材情報と問題情報と解答情報と広告情報のうちの少なくとも一つを含む情報を選択し、配信するので、情報処理装置を使用する個々の顧客は要求に応じた個別の問題用紙・解答用紙・教材、解答用紙に記入された解答の採点結果を情報処理装置によって容易に得ることが出来る。
【０１３７】
また、メニューには広告情報も含まれているので、顧客に応じた広告を提供することによって広告効率を上げることができる。
【図面の簡単な説明】
【図１】本発明の第１の実施の形態に係る教育システムを示す構成図である。
【図２】図１におけるサーバ１０１及びデジタル複写機１０３それぞれのハードウェア構成を示す図であり、（ａ）はサーバ１０１のハードウェア構成を示し、（ｂ）はデジタル複写機１０３のハードウェア構成を示す。
【図３】教育システム全体の処理の概要を示すフローチャートである。
【図４】試験問題購入申し込み処理の一部を示すフローチャートである。
【図５】図４のフローチャートに続く本処理のフローチャートである。
【図６】図４及び図５のフローチャートに続いて本処理の終了までを示すフローチャートである。
【図７】採点処理の一部を示すフローチャートである。
【図８】図７のフローチャートに続く本処理のフローチャートである。
【図９】図８のフローチャートに続く本処理のフローチャートである。
【図１０】図８及び図９のフローチャートに続いて本処理の終了までを示すフローチャートである。
【図１１】教材購入申し込み処理の一部を示すフローチャートである。
【図１２】図１１のフローチャートに続く本処理のフローチャートである。
【図１３】図１２のフローチャートに続いて本処理の終了までを示すフローチャートである。
【図１４】試験問題閲覧処理を示すフローチャートである。
【図１５】新規登録оｒ登録内容変更処理の一部を示すフローチャートである。
【図１６】図１５のフローチャートに続いて本処理の終了までを示すフローチャートである。
【図１７】本発明の第２の実施の形態に係るサーバ及びデジタル複写機におけるデータ処理の一部を示すフローチャートである。
【図１８】図１７のフローチャートに続く本処理のフローチャートである。
【図１９】図１８のフローチャートに続いて本処理の終了までを示すフローチャートである。
【図２０】デジタル複写機１０３のディスプレイ３２に表示される「選択メニュー」画面を示す図である。
【図２１】デジタル複写機１０３のディスプレイ３２に表示される試験選択画面を例示する図である。
【図２２】デジタル複写機１０３のディスプレイ３２に表示される試験ＩＮＤＥＸ画面を示す図である。
【図２３】試験科目に国語が選択された場合の詳細ＩＮＤＥＸ画面を示す図である。
【図２４】顧客ＩＤテーブルを示す図である。
【図２５】個人データテーブルを示す図である。
【図２６】問題ファイルを例示する図である。
【図２７】図２６の問題ファイル内にある問題ＩＤテーブルである。
【図２８】試験データを示す図である。
【図２９】顧客データベースの一部を示す図である。
【図３０】試験テーブルを示す図である。
【図３１】教材ＩＮＤＥＸ画面を示す図である。
【図３２】科目を選択するための教材ＩＮＤＥＸ画面を示す図である。
【図３３】希望する教材を選択するための教材ＩＮＤＥＸ画面を示す図である。
【図３４】教材ＩＤテーブルを示す図である。
【図３５】登録メニュー画面を示す図である。
【符号の説明】
１１，２１  ＣＰＵ
１６，１７，２６  入力部
１８，２８  ハードディスク
２７  出力部
２９  画像読み取り部
３１，３２  ディスプレイ
１００  教育システム
１０１  サーバコンピュータ
１０２  記憶装置
１０３  デジタル複写機
１０４  通信回線１０４
１０５  パソコン
【図１】
2004191667.tif 000003
【図２】
2004191667.tif 000004
【図３】
2004191667.tif 000005
【図４】
2004191667.tif 000006
【図５】
2004191667.tif 000007
【図６】
2004191667.tif 000008
【図７】
2004191667.tif 000009
【図８】
2004191667.tif 000010
【図９】
2004191667.tif 000011
【図１０】
2004191667.tif 000012
【図１１】
2004191667.tif 000013
【図１２】
2004191667.tif 000014
【図１３】
2004191667.tif 000015
【図１４】
2004191667.tif 000016
【図１５】
2004191667.tif 000017
【図１６】
2004191667.tif 000018
【図１７】
2004191667.tif 000019
【図１８】
2004191667.tif 000020
【図１９】
2004191667.tif 000021
【図２０】
2004191667.tif 000022
【図２１】
2004191667.tif 000023
【図２２】
2004191667.tif 000024
【図２３】
2004191667.tif 000025
【図２４】
2004191667.tif 000026
【図２５】
2004191667.tif 000027
【図２６】
2004191667.tif 000028
【図２７】
2004191667.tif 000029
【図２８】
2004191667.tif 000030
【図２９】
2004191667.tif 000031
【図３０】
2004191667.tif 000032
【図３１】
2004191667.tif 000033
【図３２】
2004191667.tif 000034
【図３３】
2004191667.tif 000035
【図３４】
2004191667.tif 000036
【図３５】
2004191667.tif 000037